【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
板状の床材の表面に床材の一端側から他端側に向けて開口させたノズルと、床材に設けてノズルに連結した導入口と、導入口に加圧空気を供給してノズルから床材の表面を覆うジェット噴流を生じさせる加圧空気供給装置と、床材の他端側のジェット噴流下流位置においてジェット噴流と直交する壁体を含む気液分離装置とよりなり、ジェット噴流は床材表面の上方から落下する液滴を床材表面に達する以前に捕捉しかつ床材表面に付着する液滴を剥離させて下流位置に運び、気液分離装置の壁体に衝突して液体分を下方に、気体分を上方に分離することを特徴とする清掃機能付き床材。
【請求項２】
ノズルは床材の一端側面とほぼ平行な段部において床材の他端にむけて開口し、導入口は床材の一端側面に開口し、床材は導入口からノズルまで伸びる連通路を備えることを特徴とする請求項１の清掃機能付き床材。
【請求項３】
段部は床材の一端側面から同じ高さで続く頂面を有する棚部の他端面として形成され、連通路は床材の一端側面から段部のノズルまで、棚部の頂面に沿って伸びることを特徴とする請求項２の清掃機能付き床材。
【請求項４】
段部は床材の一端側で緩斜面を介して床材の表面から立ち上がる細幅の頂面を有する棚部の床材他端側に形成され、連通路は床材の一端側面から緩斜面と細幅の頂面に沿って段部のノズルまで伸びることを特徴とする請求項２の清掃機能付き床材。
【請求項５】
洋式腰掛型または和式床付け型の水洗大便器と、請求項１ないし４のいずれかの清掃機能付き床材でなると共に前記水洗大便器を取り囲む床面を成す床体とを備え、
床体は、使用者が接近する水洗大便器の前方側に配置され、少なくとも加圧空気供給装置の供給端とこの供給端に接続したノズルとを含む床材でなる前方床面部分と、水洗大便器の両側を挟んで水洗大便器の後方まで延びる床材でなる一対の側方床面部分と、水洗大便器の後方において一対の側方床面部分の後端縁に連接した気液分離装置とよりなることを特徴とする、清掃機能付き床材を用いた床体と組合せた水洗大便器。
【請求項６】
立設されて使用者の排尿を受ける受面部およびこの受面部に上方から水洗流を供給する給水装置を含む本体と、使用者が立つ床面のレベルで受面部の下端に面しかつ排水口を有するシンク部及びこのシンク部に連続すると共に床面のレベルに展延して使用者が載るステップ部を含みかつ請求項１ないし４のいずれかの清掃機能付き床材を用いて本体と一体に形成される床体とよりなり、
床体のステップ部は、シンク部の排水口を有する内底面に連なる内端縁とこの内端縁とほぼ平行しかつ使用者の両足底面を受けるに充分な幅と長さをもって離間した外端縁との間において、外端縁側に少なくとも加圧空気供給装置の供給端を配置し、その内側に床材を配置してなり、
気液分離装置の壁体は、ステップ部の内端縁と対峙する本体の受面部の下方部分、または、シンク部の内底面から上方に離間して設けた受面部下端から後退した位置で立ち上がるとともに受面部下端部分の背面との間に減衰空間を形成するシンク部の後方周壁でなることを特徴とする、清掃機能付き床材を用いた床体と組合せた水洗小便器。
【請求項７】
併置して立設され使用者の排尿を受ける複数の受面部、これら受面部の上部から各受面部に水洗流を供給する給水部、及び使用者が立つ床面のレベルにおいて各受面部の下端に面しかつ底面に排水口を有するシンク部を含む本体と、使用者が立つ床面のレベルにおいて前記複数の受面部の全幅にわたりシンク部に連続して展延して前記本体と一体に設けられかつ請求項１ないし４のいずれかの清掃機能付き床材でなる床体とを備え、
床体は、シンク部の底面に連なる内端縁とこの内端縁と平行しかつ使用者の両足底面を受けるに充分な長さをもって離間する外端縁との間において、本体の複数の受面部の全幅に対応する横幅とした床材の前記一端側を外端縁側とすると共に床材の他端を内端縁側として配置し、外端縁側に加圧空気供給装置の少なくとも供給端を配置し、
気液分離装置の壁体は、床体の内端縁と対峙する複数の受面部の下方部分、もしくは、ほぼ床面のレベルにおいてシンク部底面から上方に離間させた受面部下端から後退した位置で立ち上がり、受面部の背面との間に減衰空間を形成するシンク部の後方周壁よりなることを特徴とする、清掃機能付き床材を用いた床体と組合せた水洗式の小便器組体。
【手続補正２】
【補正対象書類名】明細書
【補正対象項目名】００２０
【補正方法】変更
【補正の内容】
【００２０】
本発明による清掃機能付き床材を用いた床体と組合せた洋式腰掛型または和式床付け型の水洗大便器は、請求項１ないし４のいずれかの清掃機能付き床材でなると共に前記水洗大便器を取り囲む床面を成す床体とを備え、床体は、使用者が接近する水洗大便器の前方側に配置され、少なくとも加圧空気供給装置の供給端とこの供給端に接続したノズルとを含む床材でなる前方床面部分と、水洗大便器の両側を挟んで水洗大便器の後方まで延びる床材でなる一対の側方床面部分と、水洗大便器の後方において一対の側方床面部分の後端縁に連接した前記気液分離装置とよりなることを特徴とする。
【手続補正３】
【補正対象書類名】明細書
【補正対象項目名】００２１
【補正方法】変更
【補正の内容】
【００２１】
本発明による清掃機能付き床材を用いた床体と組合せた水洗小便器は、立設されて使用者の排尿を受ける受面部およびこの受面部に上方から水洗流を供給する給水装置を含む本体と、使用者が立つ床面のレベルで受面部の下端に面しかつ排水口を有するシンク部及びこのシンク部に連続すると共に床面のレベルに展延して使用者が載るステップ部を含みかつ請求項１ないし４のいずれかの清掃機能付き床材を用いて本体と一体に形成される床体とよりなり、床体のステップ部は、シンク部の排水口を有する内底面に連なる内端縁とこの内端縁とほぼ平行しかつ使用者の両足底面を受けるに充分な幅と長さをもって離間した外端縁との間において、外端縁側に少なくとも加圧空気供給装置の供給端を配置し、その内側に床材を配置してなり、気液分離装置の壁体は、ステップ部の内端縁と対峙する本体の受面部の下方部分、または、シンク部の内底面から上方に離間して設けた受面部下端から後退した位置で立ち上がるとともに受面部下端部分の背面との間に減衰空間を形成するシンク部の後方周壁でなることを特徴とする。
【手続補正４】
【補正対象書類名】明細書
【補正対象項目名】００２２
【補正方法】変更
【補正の内容】
【００２２】
本発明による清掃機能付き床材を用いた床体と組合せた水洗式の小便器組体は、併置して立設され使用者の排尿を受ける複数の受面部、これら受面部の上部から各受面部に水洗流を供給する給水部、及び使用者が立つ床面のレベルにおいて各受面部の下端に面しかつ底面に排水口を有するシンク部を含む本体と、使用者が立つ床面のレベルにおいて前記複数の受面部の全幅にわたりシンク部に連続して展延して前記本体と一体に設けられかつ請求項１ないし４のいずれかの清掃機能付き床材でなる床体とを備え、床体は、シンク部の底面に連なる内端縁とこの内端縁と平行しかつ使用者の両足底面を受けるに充分な長さをもって離間する外端縁との間において、本体の複数の受面部の全幅に対応する横幅とした床材の前記一端側を外端縁側とすると共に床材の他端を内端縁側として配置し、外端縁側に加圧気体供給装置の少なくとも加圧気体供給端を配置し、気液分離装置の壁体は、床体の内端縁と対峙する複数の受面部の下方部分、もしくは、ほぼ床面のレベルにおいてシンク部底面から上方に離間させた受面部下端から後退した位置で立ち上がり、受面部の背面との間に減衰空間を形成するシンク部の後方周壁よりなることを特徴とする。